(57)【要約】  無線ネットワークのサブネットは、異なるスクランブルコードにより分離される。信号フレームは、近隣又は第２のサブネットにおいて使用される拡散符号に関する情報を有し、したがって、前記拡散符号が、更に第１のサブネットにおけるマルチホップ接続に対して予約されることができる。したがって、最も容易な場合には、転送装置は、データフローのスクランブルコードを次のサブネットのスクランブルコードに変更することしか必要とせず、同じ拡散符号を保持することができる。
2008503957.tif 000002
【特許請求の範囲】
【請求項１】
少なくとも２つのサブネットにグループ分けされた複数の装置からなる無線ネットワークであって、１つのサブネットが少なくとも１つの単一の装置を有し、近隣のサブネットが異なるスクランブルコードを使用し、ソース装置が送信範囲を持ち、送り先の装置が前記ソース装置の前記送信範囲内になく、したがってソース信号を直接的に受信することができない場合に、前記ソース装置が１より多い無線ホップを介して前記ネットワークのリソースの一部を使用して前記ソース信号を前記送り先の装置に送信し、スペクトラム拡散が、パラレル伝送を分離するのに使用される無線ネットワークにおいて、
前記無線ネットワークの装置の１つが、前記ソース装置のサブネット及び近隣のサブネットの両方のスクランブルコードを知っているので、前記両方のサブネットにおいて通信することができる転送装置として機能し、
前記転送装置が、前記ソース装置により送信された前記ソース信号を受信し、前記転送装置自体が目的とする装置ではないと気付き、前記受信された信号のスクランブルコードを前記近隣のサブネットのスクランブルコードに操作し、前記操作された信号を前記近隣のサブネット転送又は中継する、
ことを特徴とする無線ネットワーク。
【請求項２】
前記パラレル伝送に対する前記スペクトラム拡散が、ＦＨＳＳ、ＤＳＳＳ、ＭＣ−ＣＤＭＡ、ＰＰＭ及びＵＷＢからなるグループから選択されることを特徴とする、請求項１に記載の無線ネットワーク。
【請求項３】
前記転送装置が、代替的に、
同じリソース上で前記操作された信号を送信するために前記ソース信号を受信したリソースを前記近隣のサブネットにおいて予約するか、又は
前記近隣のサブネットにおいて、前記ソースサブネットで使用されたリソースとは別のリソースを選択及び予約する、
ことを特徴とする、請求項１又は２に記載の無線ネットワーク。
【請求項４】
前記転送装置が、前記ソース装置が使用したのと同数のチャネル又はコードチャネルを使用することを特徴とする、請求項３に記載の無線ネットワーク。
【請求項５】
参加している前記ソース装置、前記転送器及び前記送り先の装置が、送信に対してリソースを配分する適合的媒体アクセス制御プロトコル（ＭＡＣ）を使用することを特徴とする、請求項１ないし４のいずれか一項に記載の無線ネットワーク。
【請求項６】
前記適合的媒体アクセス制御プロトコルが、送信に対してリソースを配分するためにバイナリシーケンスを使用することを特徴とする、請求項５に記載の無線ネットワーク。
【請求項７】
前記参加している装置が、ネゴシエーションし、リソースを予約するためにオンデマンド機構（ＲＴＳ／ＣＴＳ）を使用することを特徴とする、請求項５又は６に記載の無線ネットワーク。
【請求項８】
ＷＬＡＮ、ＷＰＡＮ及びＵＭＴＳからなるグループから選択されることを特徴とする、請求項１ないし７のいずれか一項に記載の無線ネットワーク。
【請求項９】
前記装置が、携帯電話、パーソナルコンピュータ、ラップトップ、ノートパソコン、パーソナルデジタルアシスタント（ＰＤＡ）、及びＶＣＲ、ＴＶ又はカメラのような家庭用電子機器、及びハードディスク、プリンタ、基地局又はアクセスポイントのような周辺機器からなるグループから選択されることを特徴とする、請求項１ないし８のいずれか一項に記載の無線ネットワーク。
【請求項１０】
少なくとも２つのサブネットにグループ分けされた装置からなる無線ネットワークにおいて信号を転送する方法であって、１つのサブネットが少なくとも１つの単一の装置を有し、近隣のサブネットが異なるスクランブルコードを使用し、ソース装置が送信範囲を持ち、送り先の装置が前記ソース装置の前記送信範囲内になく、したがってソース信号を直接的に受信することができない場合に、前記ソース装置が１より多い無線ホップを介して前記ネットワークのリソースの一部を使用して前記ソース信号を前記送り先の装置に送信し、パラレル伝送を分離するのに何らかの形式のスペクトラム拡散が使用される方法において、
前記ソース装置が、前記ソース装置が属するサブネットのスクランブルコードを使用することにより１つ又は複数の選択されたコードチャネル上で信号を送信するステップと、
前記ソース装置のサブネット及び近隣のサブネットの共通部分に配置され、したがって両方の使用されるスクランブルコードを知っているので両方のサブネットにおいて通信することができる転送装置が、前記ソース信号を受信し、前記転送装置自体が目的とする受信器ではないと気付き、前記信号に対して前記近隣のサブネットのスクランブルコードを採用するために前記信号を操作し、前記操作された信号を前記近隣のサブネットに転送又は中継するステップと、
を特徴とする方法。
【請求項１１】
前記パラレル伝送に対して使用される前記スペクトラム拡散が、ＦＨＳＳ、ＤＳＳＳ、ＭＣ−ＣＤＭＡ、ＰＰＭ及びＵＷＢからなるグループから選択されることを特徴とする、請求項１０に記載の方法。
【請求項１２】
前記転送装置が、代替的に、
同じコードチャネル上で前記操作された信号を送信するために前記ソース装置の前記ソース信号を受信したコードチャネルを前記近隣のサブネットにおいて予約するか、又は
前記近隣のサブネットにおいて、第１のサブネットにおけるコードチャネルとは別のコードチャネルを選択及び予約する、
ことを特徴とする、請求項１０に記載の方法。
【請求項１３】
前記ソース装置と、前記転送装置と、前記送り先の装置との間のネゴシエーションが、オンデマンド（ＲＴＳ／ＣＴＳ）機構に基づくことを特徴とする、請求項１０ないし１２のいずれか一項に記載の方法。
【請求項１４】
前記転送装置の送信可（ＣＴＳ）無線信号が、第２のサブネットにおいて可聴であり、ことによると前記送信に対して使用され得るコードチャネルに関する情報を有し、前記送信可信号を聞く前記第２のサブネット内の装置が、まず、前記送信可信号により予約されたコードチャネル上で送信しないことを特徴とする、請求項１３に記載の方法。
【請求項１５】
第１のサブネット及び近隣のサブネットの共通部分にあり、ソースが前記第１のサブネット内にある信号を前記近隣のサブネットに転送又は中継することができる装置であって、前記２つのサブネットにおいて異なるスクランブルコードが使用される装置において、前記装置が、
無線ソース信号を受信する手段と、
データスペクトラムを取り出すために拡散符号により分割される受信された無線信号を復号する手段と、
広帯域幅を達成するために拡散符号を用いて前記データスペクトラムを符号化する手段と、
使用される前記スクランブルコードに関して前記受信された信号を操作する手段と、
前記操作された信号を送信する手段と、
を有することを特徴とする装置。
【発明の詳細な説明】
【技術分野】
【０００１】
本発明は、キャリア又は物理層として無線を使用する通信（電話又はコンピュータ）ネットワークに関する。この種のネットワークは、分散化して組織化されるか、又はクラスタ、ピコネット又はセルのようなサブネットに組織化されるかのいずれかである。本発明の記載を統一するために、用語"サブネット"が以下で使用される。サブネットは、例えば分散ネットワークの場合、単一の装置及び前記装置の周りの第１の無線ホップ、即ち前記装置が送信器又は受信器のいずれかであるホップを指し、又はセル式若しくはクラスタベースのネットワークの場合、装置のグループを指す。近隣のサブネット（又は分散ネットワークの場合にはホップ）は、スクランブルコード（scrambling code）に関して互いに異なる。現在では、通信ネットワークは、提供するサービス数及びカバー領域の両方に関して拡大している。拡大されたネットワークにおいて、無線媒体の効率的な空間的再使用のために互いに離れて配置された２つのサブネットにおいて、同じスクランブルコードが使用されることができる。
【背景技術】
【０００２】
サブネットは、同じ媒体、即ち同じネットワークを共有する端末、ノード、サブスクライバ又は局のような装置のグループにより形成される。例えば、規格ＧＳＭ（グローバル・システム・フォー・モバイル・コミュニケーション）又はＵＭＴＳ（ユニバーサル・モバイル・テレコミュニケーション・システム）の一方によるセル式無線システムにおいて、基地局と称される中央ユニットは、前記ネットワークのリソースの分配を制御する。この基地局は、インフラストラクチャ内の前記基地局の範囲に対して前記ネットワークを管理する。
【０００３】
本発明は、特に、特定の装置が１つのサブネットを制御する基地局として機能し、他の装置が１つのサブネット、したがって基地局に割り当てられる電話ネットワークに関する。同じサブネットの２つの装置は、代替的に、
−前記基地局又はアクセスポイントの情報を用いて又は無しでアドホックモードで直接的に、又は
−前記基地局又はアクセスポイントの助けによりインフラストラクチャモードで、
通信することができる。
【０００４】
２つの近隣サブネットの共通部分にある装置は、前記２つのサブネットのそれぞれにおいて通信することができ、即ち両方のスクランブルコードを知っており、前記２つのサブネットのそれぞれにアドレスを持つ。この装置は、転送ノード、ブリッジ又はゲートウェイと称され、１つのサブネット内に位置する装置により送信されたデータを近隣のサブネットの装置に中継することができる。したがって、ソース装置が送り先の装置（destination device）のサブネットと異なるサブネットに属する場合、マルチホップ接続が実行されることができる。前記送り先のサブネットは、近隣のサブネット又は複数のサブネットだけ離れたサブネットのいずれであってもよい。転送フィーチャは、ネットワーク内の異なるサブネットを相互接続するので、ネットワーク内の異なるサブネットに属する２つの装置間の通信を可能にする。これを行うため、転送器（forwarder）は、両方のサブネットに参加し、前記近隣のサブネットに中継されることを可能にされるようにデータストリームを操作することができなければならない。
【０００５】
本発明は、特に、アドホック無線ネットワークに関する。アドホックネットワークにおいて、装置は媒体にアクセスし、後で終了し、結果として参加する装置の量が時間に対して変化する。無線ローカルエリアネットワーク（ＷＬＡＮ）に対して既知のアドホックシステムは、スペクトラム拡散（Spread Spectrum）としてＤＳＳＳ（直接系列スペクトラム拡散）及びＭＡＣ（媒体アクセス制御）に対するＣＳＭＡ／ＣＡ（衝突回避を有するキャリア検知媒体アクセス）を有するＩＥＥＥ８０２．１１規格プロトコルを使用する。
【０００６】
特に、本発明は、符号分割多重アクセス（ＣＤＭＡ）に基づくアドホックネットワークに関する。ＣＤＭＡに基づくネットワークにおいて、拡散符号（spreading code）は、一時的に割り当てられたコードチャネル又は帯域幅上に装置のデータストリームのシンボル又はチップを分配するために使用される。１つのサブネットの複数の装置は、同じチャネル、即ち同じ周波数又は周波数帯域を使用することができる。したがって、１つのチャネル又はサブキャリアは、異なるソースからの情報を含む。接続の開始時にネゴシエーションされた拡散符号に基づいて、受信する装置は、前記受信する装置を対象とする情報を選択することができる。
【０００７】
本発明は、スペクトラム拡散としてＦＨＳＳ（周波数ホッピングスペクトラム拡散）を持つブルートゥース規格８０２．１５を使用すると共にピコネットと称されるサブネットからなる無線ネットワークにも関する。
【０００８】
一般に、本発明は、パラレル伝送を分離するためにスペクトラム拡散技術が使用される無線ネットワークに関する。
【発明の開示】
【発明が解決しようとする課題】
【０００９】
本発明の目的は、スペクトラム拡散が使用されるパラレル伝送を持つ無線ネットワークにおいて信号を転送することである。
【課題を解決するための手段】
【００１０】
前記目的は、少なくとも２つのサブネットにグループ分けされた複数の装置からなる無線ネットワークであって、１つのサブネットが少なくとも１つの単一の装置を有し、近隣のサブネットが異なるスクランブルコードを使用し、ソース装置が、送信範囲を持ち、１より多い無線ホップを介して送り先の装置にソース信号を送信し、前記送り先の装置が、前記ソース装置の受信範囲内にはなく、したがって前記ソース信号を直接的に受信することができず、パラレル伝送が生じ、
前記無線ネットワークの装置の１つが、前記ソース装置のサブネット及び近隣のサブネットの両方のスクランブルコードを知っているので、前記両方のサブネットにおいて通信することができる転送装置として機能し、
前記転送装置が、前記ソース装置により送信された前記ソース信号を受信し、前記転送装置自体が目的とする受信器ではないことに気付き、前記受信された信号の前記スクランブルコードを前記近隣のサブネットのスクランブルコードに操作し、前記操作された信号を前記近隣のサブネットに転送又は中継する、
無線ネットワークにより解決される。
【００１１】
前記ソース装置は、前記信号を当初生成した装置、又は装置自体が転送装置として機能する他の装置であってもよい。前記操作される信号は、前記送り先の装置が前記転送装置の送信範囲内にある場合には直接的に前記送り先の装置に到達するか、又は他の転送装置により転送されるかのいずれであってもよい。したがって、マルチホップ伝送が実現されることができ、ここでホップとは、例えばスクランブルコードを採用することにより、他のサブネットに参加することを意味する。
【００１２】
前記送り先の装置が前記ソース装置の送信範囲内にない場合、１より多い無線ホップが必要とされうる。
【００１３】
ＦＨＳＳ、ＤＳＳＳ、ＭＣ−ＣＤＭＡ、パルス位置変調（ＰＰＭ）及びＵＷＢからなるグループから選択されるパラレル伝送に対するスペクトラム拡散技術を使用することは有利である。
【００１４】
２つの代案によると、前記転送装置は、
前記近隣のサブネットにおいて、同じリソース上で前記操作された信号を送信するために、前記ソース信号を受信したリソース即ちチャネルを予約するか、又は、
前記ソースサブネットにおいて使用されたものとは他のリソース即ちチャネルを前記近隣のサブネットにおいて選択及び予約する。
【００１５】
リソース、即ちチャネル又はコードチャネルは、それぞれ、Ｍのサブキャリア及びＫの拡散符号を有しうる。前記転送装置がアイドル状態であると発見する場合、前記転送装置は、前記操作された信号に対して同じリソースを保持する。前記サブキャリア又は拡散符号の少なくとも１つがアイドル状態ではない場合、又はこれらが適合しない場合、例えば障害又は干渉が存在する場合、他のサブキャリア及び／又は拡散符号が、前記操作された信号の送信に対して使用される。
【００１６】
一実施例によると、前記転送装置は、前記パラレル伝送に対して、前記ソース装置が使用したのと同数のチャネル又はコードチャネルを使用する。この場合、復号及び符号化は、容易な形で実現されることができる。コードチャネルは、１つの拡散符号と周波数チャネル（キャリア又はサブキャリア）との組み合わせである。本明細書において、表現チャネルは、サブキャリアのシーケンスに対応することができる表現コードチャネルを含む。
【００１７】
マルチキャリアシステムの場合、周波数チャネルがサブキャリアに分割され、この結果、配分されたキャリアの内部で、サブキャリアも配分されることができる。したがって、コードチャネルは、キャリア周波数、前記拡散符号、１つの伝送チャネルとして使用されるキャリア（チャネル）内のサブキャリアの数及び／又は位置に関する。
【００１８】
現在の転送に対して前記ネットワークに参加している装置は、ソース、転送器及び送り先の装置と称される。前記近隣のサブネットにおいて前記ソース信号の送信に対して使用されるリソースが使用中である（occupied）又は適合しない場合でさえも送信にリソースを配分するので適応的である媒体アクセス制御プロトコル（ＭＡＣ）を使用する場合に有利である。適合的媒体アクセスプロトコルは、送信にリソースを配分するためにバイナリシーケンスを使用することができ、ここで、１ビットは１つのコードチャネルに対応し、ビットの総量は、コードチャネルの総量に対応し、"１"は、有効なコードチャネルを表し、"０"は有効でない、即ち使用中である又は適合しないコードチャネルを表す。
【００１９】
好適な実施例によると、前記参加している装置は、ネゴシエーションし、リソース即ち帯域幅を予約するために、送信要求（Request-to-Send）／送信可（Clear-to-Send）機構のようなオンデマンド機構を使用する。
【００２０】
前記無線ネットワークは、例えば、ＷＬＡＮ、ＷＰＡＮ及びＵＭＴＳからなるグループから選択されることができる。
【００２１】
前記装置は、例えば、携帯電話、パーソナルコンピュータ、ラップトップ、ノートパソコン、パーソナルデジタルアシスタント（ＰＤＡ）及びビデオカセットレコーダ（ＶＣＲ）、テレビ（ＴＶ）又はカメラのような家庭用電子機器及びハードディスク、プリンタ、基地局又はアクセスポイントのような周辺機器からなるグループから選択されることができる。
【００２２】
前記目的は、少なくとも２つのサブネットにグループ分けされた装置からなる無線ネットワークにおいて信号を転送する方法であって、１つのサブネットが少なくとも単一の装置を有し、近隣のサブネットが異なるスクランブルコードを使用し、ソース装置が、送信範囲を持ち、例えば、送り先の装置が前記ソース装置の前記送信範囲内になく、したがってソース信号を直接的に受信することができないので、前記ソース装置が、１より多い無線ホップを介して前記ネットワークのリソースの一部を使用してソース信号を前記送り先の装置に送信し、パラレル伝送を分離するためにスペクトラム拡散の如何なる形式でも使用され、前記方法が、
前記ソース装置が、前記ソース装置が属するサブネットの前記スクランブルコードを使用することにより１つ又は複数の選択されたコードチャネル上で信号を送信するステップと、
前記ソース装置のサブネット及び少なくとも１つの近隣のサブネットの共通部分に配置され、したがって、両方の使用されるスクランブルコードを知っているので両方のサブネットで通信することができる転送装置が、前記ソース信号を受信し、前記転送装置自体が目的とする装置でないことに気付き、前記信号に前記近隣のサブネットのスクランブルコードを採用するために前記信号を操作し、前記操作された信号を前記近隣のサブネットに転送又は中継するステップと、
を有する方法によっても解決される。
【００２３】
この方法を使用することにより、信号は、基地局インフラストラクチャの必要なく無線ネットワーク内の１つのサブネットから他のサブネットに転送されることができる。前記転送装置は、前記受信された信号の送り先のアドレスを確認し、前記送り先のアドレスを前記転送装置自体のアドレスと比較する。前記アドレスが異なる場合、前記転送装置は、元のビットシーケンス又は元のチップを取り出すために前記信号をデスクランブルし、次いで前記信号を前記近隣のサブネットに送信するために前記近隣のサブネットのスクランブルコードを用いて純粋な信号を再びスクランブルする。
【００２４】
前記パラレル伝送に対して使用されるスペクトラム拡散が、ＦＨＳＳ、ＤＳＳＳ、ＭＣ−ＣＤＭＡ、ＰＰＭ及びＵＷＢからなるグループから選択される場合に有利である。
【００２５】
前記転送装置は、前記ソース信号の前記コードチャネル及び前記近隣のサブネットにおける前記チャネルのステータスの両方を決定する。前記近隣のサブネットにおける送信に対して２つの可能性が存在し、即ち前記転送装置は、代替的に、
同じコードチャネル上で前記操作された信号を送信するために前記ソース装置の前記ソース信号を受信したコードチャネルを前記近隣のサブネットにおいて予約するか、又は
前記近隣のサブネットにおいて、前記第１のサブネット内のものとは別のチャネルを選択及び予約する。
【００２６】
前記ソース装置と、前記転送装置と、前記送り先の装置との間のネゴシエーションは、パケットが少なくとも前記ソースのアドレス、目的とする送り先のアドレス及びいずれのチャネルを使用するかの提案に関する情報を含む送信要求／送信可機構のようなオンデマンド機構に基づいてもよい。
【００２７】
好適な実施例によると、前記転送装置の送信可の無線信号は、第２のサブネットにおいても可聴（audible）であり、ことによると前記送信に対して使用され得るチャネルに関する情報を有し、前記送信可の信号を聞く前記第２のサブネット内の装置は、まず、前記送信可の信号により予約された前記コードチャネル上で送信しない。前記予約されたチャネルは、各装置が前記媒体においていずれのチャネルが実際に使用されているかを聞くことにより決定されることができるので、前記送信が実際に開始するまでアイドル状態のままにしておくことができる。
【００２８】
前記目的は、第１のサブネット及び近隣のサブネットの共通部分にある装置であって、前記装置が、信号を前記近隣のサブネットに転送又は中継することができ、前記信号のソースが前記第１のサブネット内にあり、前記２つのサブネットにおいて異なるスクランブルコードが使用され、前記装置が、
無線ソース信号を受信する手段と、
データスペクトラム（data spectrum）を取り出すために拡散符号により分割される受信された無線信号を復号する手段と、
広帯域幅を達成するために拡散符号を用いてデータスペクトラムを符号化する手段と、
使用されるスクランブルコードに関して前記受信された信号を操作する手段と、
前記操作された信号を送信する手段と、
を有する装置によっても解決される。
【００２９】
前記無線信号を受信する手段は、フィルタを収容するように接続されたアンテナであってもよい。この手段により生成されたデータストリームは、前記元のチップを取り出すために前記ソースのサブネットのスクランブルコードを使用することによりデスクランブルされる。この場合、元の信号は、前記近隣のサブネットのスクランブルコードを使用することによりスクランブルされる。前記操作された信号を送信する手段は、アンテナであってもよい。
【００３０】
パラレル伝送を達成するために拡散符号が使用される場合、前記転送装置は、有利に、
前記データスペクトラムを取り出すために拡散符号により分割される受信された無線信号を復号する手段と、
広帯域幅を達成するために拡散符号を用いてデータスペクトラムを符号化する手段と、
を有する。
【００３１】
前記サブネットが異なるスクランブルコードにより互いに分離されること及び適合的媒体アクセス制御（ＭＡＣ）プロトコルが送信に対してサブキャリア及び拡散符号の特定のセットを配分することの両方を考慮すると、中継機能の実施は、非常に効率的に実行される。
【００３２】
前記サブネットは、異なるスクランブルコードにより分離される。ＣＴＳ信号のような信号フレームは、前記第２のサブネットにおいて使用される拡散符号に関する情報を有し、したがって、更に前記第１のサブネットにおけるマルチホップ接続に対して予約されることができる。前記転送器は、データフローのスクランブルコードを次のサブネットのスクランブルコードに変更する必要しかなく、同じ拡散符号を保持することができる。
【００３３】
以下に、本発明は、添付図面を参照して更に詳細に記載される。
【発明を実施するための最良の形態】
【００３４】
図１は、中央コントローラ及び３つのサブネットを有する概略的なマルチホップネットワークを示す。１つのコントローラは、サブネット内の集中型通信を調整する。スクランブルコード１は、サブネット１を共有する装置に割り当てられる。同様に、スクランブルコード２は、サブネット２を共有する装置に割り当てられる。２つのサブネット１及び２の共通部分に配置された装置２は、両方のサブネット１及び２において送受信することができ、転送器として機能する。この例において、装置１は、スクランブルコード１及び拡散符号１により変調されたデータを用いて送信を開始する。両方の装置１及び２はそれぞれ互いの送信及び受信範囲内であるが、装置１は、初めに、コントローラ１にデータを送信し、次いでコントローラ１が前記データストリームを装置２に中継し、この場合、装置２が転送器として機能する。拡散符号１が近隣のサブネット２において使用中でないことを確認した後に、装置２は、前記スクランブルコードのみを近隣のサブネット２のものに変更し、前記データをコントローラ２に転送する。サブネット２において、再び、前記コントローラは、前記データストリームを装置２から装置３に中継し、ここで装置２及び３は互いの送信範囲及び受信範囲内にある。最後に装置３は、前記データストリームをコントローラ３に転送し、コントローラ３は、送り先の装置４に前記データストリームを中継する。
【００３５】
図２は、分散型又は直接通信及びコントローラを持つ３つのサブネットを有する概略的マルチホップネットワークを示す。それぞれ互いの送信範囲又は受信範囲内にある装置は、送信に対して信号通知を行うことができるコントローラをバイパスして直接的に通信する。再び、１つのサブネットから次のサブネットへ、前記データストリームは、前記ソース装置により割り当てられた拡散符号を保持したまま前記近隣のサブネットのスクランブルコードに適合されるように操作される。
【００３６】
図３は、分散型又は直接通信及びコントローラを持たない３つのサブネットを有する概略的なマルチホップネットワークを示す。このアドホックネットワークにおいて、再び、２つの近隣のサブネットの共通部分に配置された装置が、転送装置として機能する。
【００３７】
図４は、分散型又は直接通信及び３つのホップ／"サブネット"を有する概略的な分散型ネットワークを示す。いずれの装置も範囲内の他の装置に対する転送器として機能することができる。再び、異なるスクランブルコードが異なるホップ上で使用されるが、前記拡散符号は、マルチホップ接続の全てのホップに対して同一であり得る。
【００３８】
図５は、拡散符号が同じままである場合の転送プロセスに対する時間図を示す。コードチャネルは、Ｍのサブキャリア及びＫの拡散符号を有しうる。この例において、使用される予約機構は、ＲＴＳ／ＣＴＳシーケンス（Request-to-Send / Clear-to-Send）である。第２のサブネットにおいても聞こえることができるＣＴＳ信号は、使用される拡散符号に関する情報を有する。前記転送装置が前記データパケットを受信した場合、前記転送装置は、前記第１のサブネットのスクランブルコードを使用することにより前記データパケットを復号し、前記近隣のサブネットのスクランブルコードを使用することにより前記データパケットを符号化する。この例において見られることができるように、前記使用される拡散符号は、前記近隣のサブネットにおいてアイドル状態であり、前記信号の更なる送信に対して使用される。ＩＥＥＥ８０２．１１の信号ＲＴＳ、ＣＴＳ、ＤＡＴＡ及びＡＣＫ（承認）の間には、ＳＩＦＳ（短フレーム間信号）があり得る。前記第２のサブネットにおける予約は、前記転送器が、前記第２のサブネットにおける前記マルチホップ接続に対して必要とされるリソースを確立し、同時に前記第２のサブネットにおけるリソース配分のより良い組織化を可能にすることを許可する。後者は、前記第２のサブネット内の他の装置が、ここで、いずれのコードチャネルが前記マルチホップ接続により使用されるかを知っているという事実のおかげである。前記スクランブルコードを切り替えるが前記拡散符号を保持することによるこの転送は、コードドメイン転送と称される。
【００３９】
図６は、前記拡散符号が、次のサブネットにおいて使用中である又はうまく適合しないので変更される場合の転送プロセスに対する時間図を示す。サブキャリアの同じセットが前記第２のサブネットにおいて使用されることができない場合、前記中継機能は、効率的な代替的態様で実現されることができる。この場合、ＲＴＳ／ＣＴＳシーケンスの間、サブキャリアの新しいセット、それぞれ新しいコードチャネルは、ネゴシエーションされなければならない。前記スクランブルコードを切り替え、使用される前記サブキャリア、それぞれ前記コードチャネルを変更することによるこの転送は、コード及び周波数ドメイン転送と称されることができる。サブキャリアの新しいセットを選択する速い態様は、前記サブキャリア、それぞれ前記コードチャネルを規定する前記受信されたビットシーケンスにバイナリシフトオペレータを適用することでありうる。
【図面の簡単な説明】
【００４０】
【図１】集中型通信及びコントローラ持つ３つのサブネットを有する概略的なマルチホップネットワークを示す。
【図２】分散型又は直接通信及びコントローラを持つ３つのサブネットを有する概略的なマルチホップネットワークを示す。
【図３】分散型又は直接通信及びコントローラを持たない３つのサブネットを有する概略的なマルチホップネットワークを示す。
【図４】分散型又は直接通信及びコントローラを持たない３つのホップ／"サブネット"を有する概略的な分散型ネットワークを示す。
【図５】拡散符号が同じままである場合の転送プロセスに対する時間図である。
【図６】拡散符号が変更される場合の転送プロセスに対する時間図である。
【図１】
2008503957.tif 000003
【図２】
2008503957.tif 000004
【図３】
2008503957.tif 000005
【図４】
2008503957.tif 000006
【図５】
2008503957.tif 000007
【図６】
2008503957.tif 000008
【国際調査報告】
2008503957.tif 000009
2008503957.tif 000010